(57)【特許請求の範囲】
【請求項１】
スーパーフレームを形成する共通データフォーマットに準拠する無線通信システム内に非同期データおよび同期データを構築するための方法であって、非同期データおよび同期データは、一度スーパーフレームの中にフォーマットされると少なくとも１つの送信局と少なくとも１つの受信局との間で、選択された電磁スペクトル部の中で定義された空気インタフェース上を選択的に送信可能である、前記方法が：
少なくとも１つの送信局と少なくとも１つの受信局との間で送信される非同期データのレベルに対応する非同期データ長である、スーパーフレームの非同期データ部を指定するステップと；
少なくとも１つの送信局と少なくとも１つの受信局との間で送信される同期データのレベルに対応する同期データ長である、スーパーフレームの同期データ部を指定するステップと；
非同期データ長の値と同期データ長の値とを示すスーパーフレームの制御情報部を指定するステップを含む前記方法。
【請求項２】
請求項１記載の方法において、制御情報部がスーパーフレームのフロントエンド部に位置されるヘッダ部を形成する前記方法。
【請求項３】
請求項２記載の方法において、非同期データ部を指定する前記ステップ中に指定された非同期データ部が、非同期データ長が少なくとも１非同期データフレームの長さが有る場合にヘッダ部に続いて配置される、前記方法。
【請求項４】
請求項３記載の方法において、同期データ部を指定する前記ステップ中に指定された同期データ部が、同期データ長が少なくとも１同期データフレームの長さが有る場合に非同期部に続いて配置される、前記方法。
【請求項５】
請求項２記載の方法において、同期データ部を指定する前記ステップ中に指定された同期データ部が、同期データ長が少なくとも１同期データフレームの長さが有る場合にヘッダ部に続いて配置される、前記方法。
【請求項６】
請求項１記載の方法において、少なくとも１つの送信局が第一の複数の送信局を含み、各々非同期データを送信することが可能であり、非同期データ部を指定する前記ステップの間に指定された非同期データ部が複数のフレームを含み、非同期データ部を指定する前記ステップが、第一の複数の送信局の各々の送信局に、どれが非同期データ部の少なくとも１つの非同期データを送信するかを割り当てることを含む前記方法。
【請求項７】
請求項６記載の方法において、少なくとも１つの受信局が第一の複数の受信局を含み、各々非同期データを受信することが可能であり、制御情報部を指定する前記ステップの間に指定された制御情報部が更に、非同期データ部の少なくとも１つのフレームのどのフレームが第一の複数の送信局の個別の１つから第一の複数の受信局の個別の１つに送信されるかを示す、前記方法。
【請求項８】
請求項１記載の方法において、少なくとも１つの送信局が第一の複数の送信局を含み、各々同期データを送信することが可能であり、同期データ部を指定する前記ステップの間に指定された同期データ部が複数のフレームを含み、同期データ部を指定する前記ステップが、第一の複数の送信局の各々の送信局に、どれが同期データ部の少なくとも１つの同期データを送信するかを割り当てることを含む前記方法。
【請求項９】
請求項８記載の方法において、少なくとも１つの受信局が第一の複数の受信局を含み、各々同期データを受信することが可能であり、制御情報部を指定する前記ステップの間に指定された制御情報部が更に、同期データ部の少なくとも１つのフレームのどのフレームが第一の複数の送信局の個別の１つから第一の複数の受信局の個別の１つに送信されるかを示す、前記方法。
【請求項１０】
請求項１記載の方法において、少なくとも１つの送信局が非同期データと同期データの両方を選択的に送信することのできる少なくとも１つの多重データ送信局を含み、同期データ部が複数のフレームを含み、非同期データ部が複数のフレームを含み、非同期データ部を指定する前記ステップが、少なくとも１つの多重データ送信局に非同期データ部の少なくとも１つを割り当てることを含む、前記方法。
【請求項１１】
請求項１０記載の方法において、同期データ部を指定する前記ステップが、少なくとも１つの多重データ送信局に同期データ部の少なくとも１つを割り当てることを含む、前記方法。
【請求項１２】
請求項１１記載の方法において、少なくとも１つの受信局が非同期データと同期データの両方を選択的に受信することのできる少なくとも１つの多重データ受信局を含み、制御情報部を指定する前記ステップの間に指定された制御情報部が更に非同期データ部のどのフレームまた同期データ部の少なくとも１つのフレームのどのフレームが少なくとも１つの多重データ受信局で受信されるかを示す、前記方法。
【請求項１３】
請求項１記載の方法において、無線通信システムが少なくとも１つのキャリヤを定義するＴＤＭＡ（時分割多重アクセス）通信システムを含み、この少なくとも１つのキャリヤが複数の時間スロットに分割されており、ここで制御情報部が更に、複数の時間スロットのどの時間スロットの間に非同期データが送信され、複数の時間スロットのどの時間スロットの間に同期データが送信されるかを示す、前記方法。
【請求項１４】
請求項１記載の方法において、無線通信システムが複数の副キャリヤを定義するＦＤＭＡ（周波数分割多重アクセス）通信システムを含み、ここで制御情報部が更に、複数の副キャリヤのどの副キャリヤ上でどの非同期データが送信され、複数の副キャリヤのどの副キャリヤ上でどの同期データが送信されるかを示す、前記方法。
【請求項１５】
少なくとも１つの送信局と少なくとも１つの受信局とを有する無線通信システムにおいて、スーパーフレームを形成する共通データフォーマットに準拠する非同期データおよび同期データを構築するための改善された装置であって、非同期データは、一度スーパーフレームの中にフォーマットされると選択された電磁スペクトル部の中で定義された空気インタフェース上を選択的に送信可能である、前記装置が：
少なくとも１つの送信局と少なくとも１つの受信局との間で送信される非同期データのレベルの指示を受信するように結合された非同期データ部指定器で、スーパーフレームの第一部を、非同期データのレベルの指示に対応する第一の選択された長さに指定するための前記非同期データ部指定器と；
少なくとも１つの送信局と少なくとも１つの受信局との間で送信される同期データのレベルの指示を受信するように結合された同期データ部で、スーパーフレームの第二部を、同期データのレベルの指示に対応する第二の選択された長さに指定するための前記同期データ部指定器と；
前記非同期データ部指示器で指定された第一の選択された長さの指示と、前記同期データ指示器で指定された第二の選択された長さの指示とを受信するように結合された制御情報指定器で、それぞれ第一および第二の選択された長さの指示に対応する値であるスーパーフレームの制御情報を指定するための前記制御情報指定器とを含む前記装置。
【発明の詳細な説明】
産業上の利用分野
本発明は一般的に無線空気インタフェース上でのデータ通信に関する。更に詳細には、本発明はスーパーフレームを定める共通フォーマットに準拠する非同期および同期データをフォーマッティングして、非同期および同期データを無線空気インタフェース上で選択的に送信出来るようにするための方法と関連する装置に関する。
一度フォーマットされると、非同期および同期データの両方を単一無線リンク上で送信できる。これにより、異なる型式の無線ネットワークが単一周波数帯域の中に共存できる。
スーパーフレームは別々の部分に分割される。１つの部分は非同期データ専用のフレームを定める：別の部分は同期データ専用のフレームを定める。異なる型式のデータ通信専用のスーパーフレームの個別の部分はダイナミックに作られ、これにより利用可能な帯域幅を最も効率的に利用する。大部分を非同期データの通信とする必要がある場合、スーパーフレームの大部分が非同期データの通信に割り当てられる。同様に大部分を同期データの通信とする場合、スーパーフレームの大部分がその様な同期データの通信に対応するように割り当てられる。スーパーフレームのヘッダー部分は、少なくともスーパーフレームのどの部分が非同期データを含み、どの部分が同期データを含むかを示している。
従来の技術
通信技術の進歩により、送信および受信局の間でデータを通信する方法が著しく改善されるようになった。
例えば無線通信において、ディジタル通信技術の進歩により、新しい型式の通信を導入したり一般化することが可能となった。例えばディジタル通信技術を用いているセルラ通信システムが多くの地域に導入され、広範に利用されている。従来型のセルラ通信システムは典型的に同期式の音声およびその他のデータを送信する。
通信技術の進歩はまたコンピュータシステムの分散化を容易にした。処理装置を離れた地域に分散し、ネットワーク接続で互いに接続することができる。互いに接続されると、処理装置はＬＡＮ（ローカル・エリア・ネットワーク）を形成する。ＬＡＮのグループを互いに接続してＷＡＮ（広域ネットワーク）を形成できる。
パケット・データ・プロトコル、ＡＴＭ（非同期転送モード）、はデータ通信で頻繁に用いられる標準プロトコルである。ＡＴＭ通信において、送信および受信局の間で通信されるデータは固定長セルの中にフォーマットされる。複数セルのグループがデータのパケットを形成し、これは送信局と受信局との間を伝送されてそれらの間の通信を実行する。
通信技術の進歩はまた無線とネットワーク接続通信システムとの統合を可能とした。例えば携帯型コンピュータの様な端末装置では、無線通信システムのネットワーク・インフラに無線リンクで結合されることが可能であり、また一方でネットワークによるか、またはその他の有線接続でデータ端末に接続できる。端末装置とデータ端末の間で通信するために、端末装置はＡＴＭプロトコルを利用でき、データのパケットを形成するこのＡＴＭセルは端末装置とデータ端末との間の無線リンクを介して伝送される。
無線通信システムの通信容量は、その中で動作可能な無線チャンネルを形成するために割り当てられた周波数によって制限される場合がある。無線通信の利用が増えるにしたがい、同期データの従来型通信とまたＡＴＭ型データ通信の両方に対して、この様な通信用に追加の周波数を割り当てることが提案されている。
例えば５ＧＨｚ周波数帯で利用可能な周波数を、同期データ通信とＡＴＭの様な非同期データ通信の両方に対して用いることが提案されている。すなわち、同一の無線リンクが非同期データの通信とまた同期データの通信の両方に使用されるということである。従って異なる型式の無線ネットワークが１つの周波数帯域の中に共存しなければならない。
同期通信は典型的に狭帯域技術で実行できる。またこの様な方法で通信された同期データを受信するように動作可能な受信機は、狭帯域信号のみを受信し処理必要がある。これとは反対に少なくともいくつかの非同期通信は広帯域技術で実行される。例えば、マルチメディア通信は典型的に広帯域技術を用いて実行される。
狭帯域受信機は通常は、広帯域受信機よりも必要な消費電力が少なくまた処理能力も少ないが、これは広帯域受信機が広い範囲の周波数上のデータを受信するように構成されなければならないからである。
狭帯域同期および広帯域非同期通信の両方が共通の周波数帯域上で実行される場合、広い周波数範囲上で通信信号を受信するために同期通信のみを受信するように動作可能な受信機を必要としないフォーマッティング技法が必要である。
すなわち、同期狭帯域データのみを通信する無線ネットワーク内で動作可能な無線受信機はまた、例えばＡＴＭ、またはその他の非同期データ伝送に準拠して通信されるような広帯域データをも受信するように構成される必要がないということである。
ここが同期および非同期データの通信に関するこの従来技術で強調したいところであって、本発明の重要な改善が含まれている。
発明の要約
従って本発明は、スーパーフレームを定める共通フォーマットに準拠した非同期および同期データをフォーマットするための方法並びに関連する装置を好適に提供する。一度フォーマットされると非同期および同期データは送信局と受信局との間の無線空気インタフェース上を選択的に伝送される。
異なる型式のデータが単一周波数帯域上を伝送できる。従って異なる無線ネットワークの送信局と受信局は、それぞれ単一周波数帯域内で定義された無線チャンネル上を通信される通信信号を、送信および受信するために別々に動作可能である。
本発明の１つの実現例としてスーパーフレームは３つの部分に分割されている。１つの部分は非同期データ通信用に割り当てられたフレームを定める。第２部分は同期データ通信用に割り当てられたフレームを定める。また、第３部分はヘッダーを形成する制御情報部を形成する。
１つの実現例としてそれぞれ非同期および同期通信用に割り当てられた第１および第２部分の長さは、トラヒック条件に依存してダイナミックに割り当てられる。送信される非同期データのレベルが増加すると、スーパーフレームのより多くの部分が非同期データの通信用に割り当てられる。また送信される同期データのレベルが増加すると、スーパーフレームのそのフレームのより多くの部分が同期データの通信用に割り当てられる。トラヒック条件が変化するとスーパーフレームのフレーム割り当ての再割り当てが行われる。
スーパーフレームのフォーマッティングによって、１つの周波数帯域を複数のデータ型式の通信に割り当てることができる。
スーパーフレーム構造は異なる変調方式を用いた種々の通信システムに利用できる。例えば１つの実施例において、スーパーフレーム構造はＴＤＭＡ（時分割多重アクセス）通信技法で使用されており、ここでは搬送波が時間スロットに分割されている。スーパーフレームの非同期データ通信に割り当てられたフレームは選択された時間スロットの第１セットの間に伝送される。また同期データのフレームは時間スロットの第２セットの間に伝送される。初期時間スロットはヘッダー情報の通信用に選択されており、これによって受信局に時間スロットの間に送信データのどのフレームが送信されるかを通知する。
別の実施例において、スーパーフレーム構造がＦＤＭＡ（周波数分割多重アクセス）通信技法の中で用いられている。ＦＤＭＡ技法の中でヘッダー情報は第１選択副搬送波上を伝送され、またその他の副搬送波は同期および非同期データ通信用に用いられる。ヘッダー情報はその上を非同期データと同期データが通信される副搬送波の指示を含む。
別の実施例において、スーパーフレーム構造がＣＤＭＡ（コード分割多重アクセス）通信技法で用いられる。ヘッダー情報は第１キーコードに準拠してコード化される。非同期データは少なくとも第２キーコードに準拠するようにコード化され、同期データは少なくとも第３キーコードに準拠するようにコード化される。ヘッダー情報は選択された受信機に送信されたデータがどのコードに準拠しているかのキーコードの情報を含む。これによって受信機はそこに伝送されたデータをデコードすることができる。
従ってこれら及びその他の特徴において、１つの方法および関連する装置は無線通信システム内で非同期データおよび同期データを構造化する。データはスーパーフレームを形成する共通データフォーマットに準拠して構造化される。非同期データおよび同期データは、一度スーパーフレームの中にフォーマットされると、少なくとも１つの送信局と少なくとも１つの受信局との間で、選択された電磁スペクトル部分内で定義された空気インタフェース上を選択的に送信可能である。スーパーフレームの非同期データ部が指定される。非同期データ部は少なくとも１つの送信局と少なくとも１つの受信局との間で送信される非同期データのレベルに対応する非同期データ長である。スーパーフレームの同期データ部が指定される。同期データ部は少なくとも１つの送信局と少なくとも１つの受信局との間で送信される同期データのレベルに対応する同期データ長である。スーパーフレームの制御情報部もまた指定される。制御情報部は非同期データ長の値と、同期データ長の値を示す。
本発明の更に完全な理解とその範囲とが、以下に簡単に纏めた添付図、本発明の今回提出された実施例の以下の詳細な説明、及び添付の請求の範囲から得られる。
【図面の簡単な説明】
図１は本発明の１つの実施例に基づいて構築された、単一の無線リンク上で複数の通信システムでの通信を可能とするスーパーフレームを図示する。
図２は図１に示すスーパーフレームを用いて共通無線リンク上で、２つの通信システムがダウンリンク信号を通信する方法を示す機能ブロック図を図示する。
図３は図２に示されるものと類似であるが、図１に示すスーパーフレーム構造を用いて共通無線リンク上で通信されるアップリンク信号の機能ブロック図を図示する。
図４は図１に示すスーパーフレーム構造の中にフォーマットされた通信信号を送受信するように動作可能な通信システムの機能ブロック図を図示する。
図５は、図１に示すスーパーフレーム構造に基づきフォーマットされた通信信号バーストが本発明の１つの実施例に従って送信される、ＴＤＭＡ（時分割多重アクセス）通信技法の時間スロットを図示する。
図６は、図１に示すスーパーフレーム構造に基づきフォーマットされた通信信号が本発明の別の実施例に従って送信される、ＦＤＭＡ（周波数分割多重アクセス）通信技法で定義された周波数チャンネルを図示する。
図７は、図１に示すスーパーフレーム構造に基づきフォーマットされた通信信号が本発明の別の実施例に従って送信される、ＣＤＭＡ（コード分割多重アクセス）通信技法を図示する。
図８は本発明の１つの実施例の方法の方法ステップを並べ上げた方法流れ図を図示する。
実施例の詳細な説明
最初に図１を参照すると、全体として１０と示されているスーパーフレームが図示されている。スーパーフレーム１０は共通データフォーマットを提供し、これは異なる型式の通信システムで生成された通信信号を共通の無線リンク上で通信することを可能とする。別々の通信システムの動作中に生成された通信信号を共通無線リンク上で通信することにより、通信に利用できる制限されたスペクトルを効率的に用いることが出来る。
図に例示的な実施例として図示されているスーパーフレーム１０は３つの個別部分、ヘッダー部１４、第１データ部１６、そして第２データ部１８を含む。図１に例として示すスーパーフレーム構造１０は、例えば同期狭帯域音声およびデータトラヒックの通信と、またＡＴＭ（非同期伝送モード）セルの通信とを１つの共通無線リンク上で可能とするので、両方の型式のデータ通信を共通無線リンク上で通信可能とする。別の実施例において、スーパーフレームの中に別の追加データ部が定義されていて、別の通信システムがその共通通信リンク上で動作できるようにしている。
例として示す実施例に於いて、第１および第２データ部１６および１８は各々可変フレーム（または別セグメント）長である。それぞれのデータ部１６および１８の長さは、通信システムの特定の１つによって特定の時間に通信されるために必要な通信のレベルに応じて自由に選択可能である。より多くの、またはより少ないフレーム（またはその他のセグメント）が、適切に第１または第２データ部に割り当てられる。通信システムの１つで実行される通信レベルが増加すると、この通信システムに関連するフレーム部の長さが、通信レベルの増加に適合するように増やされる。
スーパーフレーム１０のヘッダー部１４は制御情報を含み、これはデータ部１６および１８のどのフレームが通信システムのどの特定の受信局に送信されるかを示す。例えば、第一データ部は複数のフレームを含み、この種々のフレームは異なる受信局に通信される通信信号のバーストを含む。スーパーフレーム１０のヘッダー部１４は、種々の受信局に対して第１データ部１６のどのフレームがどの受信局に送られようとしているかを示す情報を含む。
スーパーフレーム１０のヘッダー部１４は同様に、第２データ部１８のフレームに関連する制御情報を含む。
スーパーフレーム１０のヘッダー部１４は、個別の受信局に向けられる通信バーストの位置を示す制御情報を含むので、狭帯域で動作可能な受信局、音声並びにデータ通信システムは、同じ無線リンクを共有する無線広帯域、ＡＴＭ通信システムの動作中に通信される信号バーストをも受信するように構築される必要はない。スーパーフレーム１０のヘッダー部１４の中に含まれる制御情報は、狭帯域受信機がそこに向けられる通信バーストを受信するために、適切な狭帯域チャンネルに同調させるために必要な情報を提供する。これによって狭帯域通信システム内でのみ動作可能なように意図された受信局は、単に狭帯域信号を受信し処理するように構築される必要がある。従って全広帯域信号を受信し処理する必要性は取り除かれる。例えばその様な受信局の回路は、狭帯域音声ならびにデータを受信するために使用される従来型音声コーダ（すなわち、ボコーダ）を含む必要があるだけである；ＡＴＭデータを受信できるようにする特別な音声コーダはその様な受信局では必要ない。
第１データ部１６がＡＴＭトラヒック領域を形成し、第２データ部１８が同期音声およびデータトラヒック領域を形成する実施例では、音声トラヒック領域はｎ個の音声およびデータトラヒックセグメントとして形成され、ここでｎはゼロ以上の値である。各々のセグメントはｍ個の音声チャンネルを搬送することが可能であり、ここでｍは１以上である。音声トラヒックセグメントの値ｎはスーパーフレーム１０のヘッダー部１４の中で指定される。また、トラヒック予約がスーパーフレームのそれぞれの部分１６および１８で生じる。各々の部分１６および１８に割り当てられるセグメント数を適応的に選択することにより、スーパーフレーム１０はその上でスーパーフレームが定義される無線リンクの効率的な使用を容易にするように適応的に構築される。例えば、選択された時間周期の間にＡＴＭ通信のみが実行される場合、ｎ＝０である。反対に、ＡＴＭサービスが制限される一方で多数の音声サービスユーザが無線リンク上で通信する場合、ｎの値は大きい。
図２はスーパーフレーム１０を図示し、ここでもヘッダー部１４、第１データ部１６および第２データ部１８を含むように示されている。再びヘッダー部１４は制御情報を含み、一方データ部１６および１８はセグメント、ここではデータのフレームに分割されている。例として示す実施例では、第１データ部１６はＡＴＭトラヒックに割り当てられ、第２データ部１８は同期音声およびデータトラヒックに割り当てられている。
固定サイトトランシーバ２２はスーパーフレーム１０のＡＴＭトラヒック部１６の中にフォーマットされたＡＴＭトラヒックのバーストを送信するように動作可能な送信局を形成する。部分１６の種々のフレームの１つづつは別々の移動端末２４と通信するために割り当てられている。スーパーフレーム１０のヘッダー部１４は制御情報を含み、移動端末２４に対してＡＴＭトラヒック部１６のどのフレームがそれぞれの移動端末のどれで処理されるべきかを示す。矢印２６はスーパーフレーム１０のＡＴＭトラヒック部１６のＡＴＭトラヒックでのフォーマットおよび、ＡＴＭトラヒック部１６のフレームの受信並びに処理を表す。
図２は更に、同期、狭帯域音声およびデータ通信システムで動作可能な固定サイトトランシーバ２８を図示する。トランシーバ２８はここでは複数の移動端末、ここでは移動端末３２、の選択された１つにスーパーフレーム１０のフォーマットに従って同期データのバーストを通信するように動作可能である。図に示される矢印３４はスーパーフレーム１０のフォーマットに従って、移動端末３２の個々の１つに通信される同期データのフレームの通信を表す。スーパーフレーム１０のヘッダー部１４に含まれる制御情報は移動端末３２に送信される同期データのフレームを何処に配置するかを、移動端末３２に指示する。スーパーフレーム１０のその様な部分は移動端末３２のそれぞれ１つで処理される。
図３は再びスーパーフレーム１０を図示し、ここでもヘッダー部１４、第１データ部１６および第２データ部１８で形成されるように示されている。第１データ部１６は再びＡＴＭトラヒックに割り当てられ、第２データ部１８は狭帯域、同期音声およびデータトラヒックに割り当てられている。また、ＡＴＭ通信システムの固定サイトトランシーバ２２と移動端末２４も図に示されている。また、同期音声およびデータ通信システムの固定サイトトランシーバ２８と移動端末３２も図に示されている。
此処で固定サイトトランシーバ２２および２８は、それぞれ移動端末２４および３２で生成されたアップリンク伝送を受信するための受信局を形成する。矢印３６は移動端末２４の此処の１つから固定サイトトランシーバ２２に通信されるアップリンク・バーストの送信を表す。図２に示されたダウンリンクと類似して、ヘッダー部１４は制御情報を含み、トランシーバ２２で形成された受信局に、移動端末２４の種々の１つから通信されたアップリンク送信の位置を指示する。図に示される矢印３８は同期音声およびデータ通信システムの移動端末３２の個々の１つからのアップリンク送信を表す。ここでもヘッダー部１４に含まれている制御情報は、固定サイトトランシーバ２８に移動端末３２のそれぞれ１つのアップリンク送信を形成するデータのフレーム位置を指示する。
図４は、全体として５０として示される通信システムを図示し、送信局５２と受信局５４とが無線リンクで互いに接続されている。送信局５２と受信局５５との間で通信されるデータは、図１に示されるスーパーフレーム１０に準拠してフォーマットされる。ＡＴＭデータトラヒックの様な非同期データトラヒックと、同期音声およびデータトラヒックは共に同一無線リンク上を１つまたは複数の受信局５５に通信できる。ここで送信局５２はＡＴＭデータと同期音声およびデータトラヒックを共に送信するように動作可能である。
送信局５２は受信局５４に通信されるＡＴＭデータ源を形成するＡＴＭデータ源５４を含む。ＡＴＭデータ源５４で生成されたＡＴＭデータはライン５６によりＡＴＭセル・フォーマッタ５８に供給され、これはＡＴＭデータを、ＡＴＭデータがフォーマットされる従来方式であるＡＴＭセルにフォーマットする。このＡＴＭセルはライン６２によりプロトコル・ユニット６４に供給される。
送信局５２は更に同期音声およびデータ源６６を含む。源６６で生成された同期音声およびデータはライン６８により同期音声およびデータ・フォーマッタ７２に供給され、これは同期音声およびデータをライン７４上の同期音声／データ・フレームにフォーマットする。ライン７４はプロトコル・ユニット６４に結合され、これによりフォーマッタ７２で形成されたフレームをプロトコル・ユニット６４に供給する。
データ源５４と６６並びにフォーマッタ５８と７２は、１つの実施例においてパーソナルコンピュータまたはワークステーションで機能的に形成される。またプロトコル・ユニット６４は無線基地局で、その基地局に延びるライン６２と７４と共に機能的に形成される。
別の実施例では、プロトコル・ユニット６４は移動端末で機能的に形成される。ここでもパーソナルコンピュータまたはワークステーションで機能的に形成されているデータ源５４と６６並びにフオーマッタ５８と７２は、移動端末にライン６２と７４で結合されており、有線接続または何らかの型式のＲＦ（無線周波数）、例えば赤外線、接続のいずれかを形成する。
プロトコル・ユニット６４はＭＡＣ，ＬＬＣおよびハンドオーバーの様な機能を実行する。ライン６２と７４によりプロトコル・ユニット６４に供給されるフレーム並びにセルのインタリーブは、先に図１で示したスーパーフレーム１０の様なデータのスーパーフレームの形成を提供する。スーパーフレームのヘッダー部を形成する制御情報もまたプロトコル・ユニット６４で提供される。
プロトコル・ユニット６４はライン７６により基本帯域処理ユニット７８に結合されている。基本帯域処理は基本帯域処理ユニット７８で行われる。基本帯域処理ユニット７８はライン８０によりＨＦ（高周波）トランシーバ回路８２に結合されている。フロントエンド・トランシーバ８２はスーパーフレームにフォーマットされたデータを、送信局５２と受信局５５との間に延びる無線リンク上で送信可能な無線周波数に変換するように動作可能である。
受信局５５の構造は、送信局５２を形成する様に示された構成要素に類似し、全体としてその逆の構成要素を含む。すなわち、例えばフロント・エンドトランシーバは、受信局の一部を形成する際、無線周波数信号を基本帯域信号に変換し、これは基本帯域処理ユニットで処理できる。プロトコル・ユニットはＡＴＭセルと音声およびデータフレームを、受信されたスーパーフレーム、およびデータ源５４並びに６６から適切に逆に抽出し、データ・シンクを形成する。
１つの実施例において、通信システム５０はＴＤＭＡ（時分割多重アクセス）通信技法に基づいて動作可能である。図５はＴＤＭＡ通信技法に準拠して形成されたフレーム８３の例を図示する。各々のフレームは複数の時間スロット８４を形成する。図に示されるこのフレーム例は８つの時間スロットで形成され、この各々は個々の受信局に通信されるデータの通信バーストを含む。ヘッダ情報は少なくとも１つの時間スロット、此処では先頭時間スロットの中に含まれる。
別の実施例において、通信システムはＦＤＭＡ（周波数分割多重アクセス）通信技法に準拠して動作可能である。図６は複数のキャリヤ、此処でキャリヤｆ１−ｆｎを図示する。ヘッダ情報は１つキャリヤ上を送信される。その他のデータは選択されたキャリヤ上を通信される。狭帯域受信機は選択されたキャリアの１つの上で送信されたヘッダ情報から、情報を抽出する。この様な情報は受信局に対して、そこに送信された通信信号のバーストを受信するためにどのチャンネルに調整するかの指示を提供する。
本発明の別の実施例において、通信システム５０はＣＤＭＡ（コード分割多重アクセス）通信技法に準拠して動作可能である。図７は同一レンジの周波数上で通信される種々の信号を図示する。ここでブロック８６で示されているキーは受信局でそこに送信されたコード化された情報をデコードするために使用される。第１キーでのデコードに基づいてデコードされた情報は受信局に情報を提供し、受信局がその受信局に向けられた通信バーストをデコードすることを可能とする。
図８は全体として９０で示されている本発明の１つの実施例の方法を図示する。この方法はスーパーフレームを形成する共通データフォーマットに準拠する無線通信システムの中に、非同期データおよび同期データを構築する。ブロック９２で示されるように、最初スーパーフレームの非同期データ部が指定される。非同期データ部は少なくとも１つの送信局と少なくとも１つの受信局との間で送信される非同期データのレベルに対応するデータ長である。
スーパーフレームの同期データ部もまた、ブロック９４で示されるように指定される。同期データ部は少なくとも１つの送信局と少なくとも１つの受信局との間で送信される同期データのレベルに対応するデータ長である。
そして、ブロック９６で示されるように、スーパーフレームの制御情報部が指定される。制御情報部は非同期データ長の値と同期データ長の値とを指示する。
本発明の１つの実施例の動作は、これによって好適に非同期および同期データの両方を単一無線リンク上で送信できるようにしている。これにより異なる型式の無線ネットワークが単一周波数帯域の中に共存できる。異なる型式のデータ通信に専用のスーパーフレームの個別部分はダイナミックに作られるので、利用可能な帯域幅を最も効率的に利用する。スーパーフレームの個々のデータを含む部分の長さの割り当ておよび再割り当てが、トラヒック条件が変化すると行われ、単一周波数帯域上で出来る限りの通信レベルが可能となる。
先の説明は本発明を実現する提出された例に基づくものであり、本発明の範囲はこの説明に制限されるものではない。本発明の範囲は以下の請求の範囲で定められる。
【図１】
0003871147.tif 000002
【図２】
0003871147.tif 000003
【図３】
0003871147.tif 000004
【図４】
0003871147.tif 000005
【図５】
0003871147.tif 000006
【図６】
0003871147.tif 000007
【図７】
0003871147.tif 000008
【図８】
0003871147.tif 000009